(57)【要約】【課題】専用の記憶領域を別途設けることなく、迷惑ＦＡＸ防止機能を実現させること。【解決手段】操作者は、オペレーションパネルを操作してアドレス帳登録画面の表示を要求し、ＦＡＸ受信拒否番号の登録画面を表示する（Ｓ３０１）。ＦＡＸ受信拒否番号を入力するための画面を表示し、テンキーを操作してＦＡＸ番号の入力を行う（Ｓ３０２）。ＦＡＸ番号の入力が受け付けられると、アドレス帳記憶部におけるＦＡＸ受信拒否番号の登録件数の情報を読み出す。登録件数が登録可能最大数に達している場合（Ｓ３０３；Ｙ）、登録エラーが生じた旨を示す画面を表示し処理を終了する。登録件数が登録可能最大数に達していない場合（Ｓ３０３；Ｎ）、受け付けられたＦＡＸ受信拒否番号を、アドレス帳記憶部へ登録する（Ｓ３０５）。そして、ＦＡＸ受信拒否番号の登録が終了すると、登録が終了した旨を示す画面を表示する。【選択図】図２
2008067302.tif 000002
【特許請求の範囲】
【請求項１】
送信先として使用するＦＡＸ番号を登録可能なアドレス帳の記憶領域を有するファクシミリ装置であって、
受信を希望しない送信元のＦＡＸ番号の入力を受け付ける受付手段と、
前記受付手段により受け付けられたＦＡＸ番号を、ＦＡＸ受信拒否番号として前記アドレス帳の記憶領域に登録するＦＡＸ受信拒否番号登録手段と、
ＦＡＸデータを受信した際に、該ＦＡＸデータの送信元のＦＡＸ番号と前記アドレス帳の記憶領域に登録されているＦＡＸ受信拒否番号とを比較する比較手段と、
前記比較手段による比較の結果、該ＦＡＸデータの送信元のＦＡＸ番号と前記アドレス帳の記憶領域に登録されているＦＡＸ受信拒否番号とが一致した場合、前記ＦＡＸデータの通信を切断する通信切断手段と、
を備えたことを特徴とするファクシミリ装置。
【請求項２】
前記受付手段は、前記アドレス帳の記憶領域に登録可能なＦＡＸ受信拒否番号が最大件数を超えた場合、ＦＡＸ受信拒否番号の受付が不能である旨のメッセージを表示する表示手段を備えたことを特徴とする請求項１記載のファクシミリ装置。
【請求項３】
前記アドレス帳の記憶領域に登録可能なＦＡＸ受信拒否番号の最大件数は、前記アドレス帳の記憶容量の範囲内において、任意に設定可能であることを特徴とする請求項１、または請求項２記載のファクシミリ装置。
【請求項４】
前記アドレス帳の記憶領域に登録可能なＦＡＸ受信拒否番号の最大件数の変更は、現在登録済みのＦＡＸ受信拒否番号の件数を超える範囲において可能であることを特徴とする請求項３記載のファクシミリ装置。
【発明の詳細な説明】
【技術分野】
【０００１】
本発明は、ファクシミリ装置に関し、特に、ファクシミリ通信における無駄な受信処理の実行を防止する機能を有するファクシミリ装置に関する。
【背景技術】
【０００２】
従来、予め登録した特定相手先からの受信だけを可能にする、あるいは予め登録した特定相手先以外からの受信だけを可能にする「迷惑ＦＡＸ防止機能」と呼ばれている機能を設けたファクシミリ装置が、下記の特許文献をはじめ提案されている。
【特許文献１】特開２０００−０２２８５０号公報
【０００３】
特許文献１には、ＦＡＸ受信拒否相手先情報記憶部を設け、ＦＡＸ受信時に前記記憶部に記憶されている電話番号と受信した電話番号を比較し、一致した際に受信を拒否するファクシミリ装置が開示されている。
なお、特許文献１に記載のファクシミリ装置では、ＦＡＸ受信拒否相手先情報記憶部を専用に設けるように構成されているため、より多くの記憶領域が必要となる。
【発明の開示】
【発明が解決しようとする課題】
【０００４】
上述した特許文献１に記載のファクシミリ装置において、迷惑ＦＡＸ防止機能を実現するためには、ＦＡＸ受信を拒否する相手先の情報を記憶するための不揮発性の記憶装置が必要となる。
しかしながら、不揮発性の記憶装置は一般に高価であるだけでなく、迷惑ＦＡＸ防止機能用に専用の記憶領域を設けると、機器全体として不揮発性の記憶領域が不足する事態が生ずるおそれがある。
【０００５】
そこで本発明は、ＦＡＸ受信を拒否する相手先の情報を記憶させる専用の記憶領域を別途設けることなく、迷惑ＦＡＸ防止機能を実現させることのできるファクシミリ装置を提供することを目的とする。
【課題を解決するための手段】
【０００６】
請求項１記載の発明は、送信先として使用するＦＡＸ番号を登録可能なアドレス帳の記憶領域を有するファクシミリ装置であって、受信を希望しない送信元のＦＡＸ番号の入力を受け付ける受付手段と、前記受付手段により受け付けられたＦＡＸ番号を、ＦＡＸ受信拒否番号として前記アドレス帳の記憶領域に登録するＦＡＸ受信拒否番号登録手段と、ＦＡＸデータを受信した際に、該ＦＡＸデータの送信元のＦＡＸ番号と前記アドレス帳の記憶領域に登録されているＦＡＸ受信拒否番号とを比較する比較手段と、前記比較手段による比較の結果、該ＦＡＸデータの送信元のＦＡＸ番号と前記アドレス帳の記憶領域に登録されているＦＡＸ受信拒否番号とが一致した場合、前記ＦＡＸデータの通信を切断する通信切断手段と、を備えることにより、前記目的を達成する。
請求項２記載の発明は、請求項１記載のファクシミリ装置において、前記受付手段は、前記アドレス帳の記憶領域に登録可能なＦＡＸ受信拒否番号が最大件数を超えた場合、ＦＡＸ受信拒否番号の受付が不能である旨のメッセージを表示する表示手段を備えたことを特徴とする。
請求項３記載の発明は、請求項１、または請求項２記載のファクシミリ装置において、前記アドレス帳の記憶領域に登録可能なＦＡＸ受信拒否番号の最大件数は、前記アドレス帳の記憶容量の範囲内において、任意に設定可能であることを特徴とする。
請求項４記載の発明は、請求項３記載のファクシミリ装置において、前記アドレス帳の記憶領域に登録可能なＦＡＸ受信拒否番号の最大件数の変更は、現在登録済みのＦＡＸ受信拒否番号の件数を超える範囲において可能であることを特徴とする。
【発明の効果】
【０００７】
請求項１記載の発明によれば、アドレス帳の記憶領域にＦＡＸ受信拒否番号を記憶することにより、別途専用の記憶領域を設けることなく迷惑ＦＡＸの受信防止を実現することができる。
請求項２記載の発明によれば、アドレス帳の記憶領域に登録可能なＦＡＸ受信拒否番号が最大件数を超えた場合、ＦＡＸ受信拒否番号の受付が不能である旨のメッセージを表示することができる。
請求項３記載の発明によれば、アドレス帳の記憶領域に登録可能なＦＡＸ受信拒否番号の最大件数を、アドレス帳の記憶容量の範囲内において設定させることができる。
請求項４記載の発明によれば、アドレス帳の記憶領域に登録可能なＦＡＸ受信拒否番号の最大件数の変更を、現在登録済みのＦＡＸ受信拒否番号の件数を超える範囲において可能とすることができる。
【発明を実施するための最良の形態】
【０００８】
以下、本発明の好適な実施の形態について、図１〜図９を参照して詳細に説明する。
図１は、本実施の形態に係るファクシミリ装置の基本構成を示すブロック図である。
図１に示すように、ファクシミリ装置は、ＳＡＦ管理部１０１、宛先管理部１０２、ジョブ管理部１０３、オペレーション制御部１０４、記録／読み取り制御部１０５、通信制御部１０６、主制御部１０７、及びアドレス帳記憶部１０８を備えている。
ＳＡＦ管理部１０１は、ファクシミリを送受信する際の送信原稿及び受信原稿といった画情報データを格納するメモリ／ＨＤＤ等を管理する。なお、図示しないＳＡＦ（送受信データ蓄積メモリ）内では、各原稿１枚ずつを論理的に原稿ファイルとして管理している。
【０００９】
宛先管理部１０２は、送信する相手先の電話番号の管理を行い、各々の送信宛先の電話番号が管理されている。
ジョブ管理部１０３は、図示しないＳＡＦに蓄積された送信原稿の送信起動を実行し、また、着信があった場合に受信動作を開始させて１つの受信ジョブを作成し、作成された受信ジョブに基づいて受信した原稿の記録紙への印字起動等を実行させる受信ジョブの制御を行う。なお、このジョブ管理部１０３には、各々のジョブに関連する原稿ファイルの情報、あるいは送信すべき相手先の電話番号の宛先情報が格納されている。
オペレーション制御部１０４は、操作者により操作される図示しないオペレーションパネル（操作表示部）の制御を行う。アドレス帳記憶部１０８へのＦＡＸ受信拒否番号の登録は、操作者によるオペレーションパネルからの入力により行われる。
【００１０】
記録／読み取り制御部１０５は、送信される原稿を読み取る動作、あるいは受信した原稿を記録する動作を制御する。
通信制御部１０６は、変復調回路（モデム）等を含んだ装置であり、ＦＡＸ送受信データの変調及び復調を行い、ＦＡＸ通信のプロトコルを実行する。また、網制御や発信番号通知サービスの手順の対応についても、この通信制御部１０６で実行される。
主制御部１０７は、ファクシミリ装置の各制御部の統括を行う。
アドレス帳記憶部１０８は、通常の使用で頻繁に送信先として使用するＦＡＸ番号、及び受信を許可しないＦＡＸ番号を記憶する領域である。
【００１１】
次に、このように構成された本実施の形態に係るファクシミリ装置における動作について説明する。
ここでは、受信を拒否するファクシミリ番号を事前にファクシミリ装置に登録する処理の手順について説明する。
図２は、本実施の形態に係るファクシミリ装置におけるファクシミリ受信拒否番号の登録処理の手順を示したフローチャートである。
また、図３は、本実施の形態に係るファクシミリ装置において、ファクシミリ受信拒否番号の登録処理を行う際に表示されるの画面フローの一例を示した図である。
【００１２】
はじめに操作者は、オペレーションパネルを操作し（所定のコマンドの入力操作、または、特定のボタンの押下操作を行う）、ファクシミリ装置に対してアドレス帳登録画面の表示を要求する。
すると、オペレーション制御部１０４は、このアドレス帳登録画面の表示の要求を受け付け、オペレーションパネルの画面上に、図３に示すような画面２０１、即ちＦＡＸ受信拒否番号の登録画面を表示する（ステップ３０１）。
【００１３】
続いて操作者は、表示された画面２０１において、“ファクス受信拒否相手先”を選択した状態で（画面２０１においては、該当選択肢が白黒反転した状態で）ＯＫキーを押下する。
すると、オペレーション制御部１０４は、“ファクス受信拒否相手先”の登録画面の要求を受け付け、図３に示すようなＦＡＸ（ファクシミリ）番号を入力するための画面２０２を表示する。
【００１４】
その後操作者は、オペレーションパネルに設けられたテンキーを操作し、画面２０２においてＦＡＸ番号の入力を行う。ＦＡＸ番号の入力を終えた後、操作者は、画面２０２上のＯＫキーを押下する（ステップ３０２）。
すると、オペレーション制御部１０４は、ＦＡＸ番号の入力を受け付ける。
オペレーション制御部１０４においてＦＡＸ番号の入力が受け付けられると、主制御部１０７は、アドレス帳記憶部１０８におけるＦＡＸ受信拒否番号の登録件数情報を読み出し、この登録件数と、予め設定されている登録可能最大数とを比較し、登録件数が登録可能最大数に達しているか否かを判断する（ステップ３０３）。
【００１５】
登録件数が登録可能最大数に達している場合、即ち、登録件数＝登録可能最大数である場合（ステップ３０３；Ｙ）、オペレーション制御部１０４は、登録エラーが生じた旨を示す画面を表示し（ステップ３０４）、登録処理を終了する。
一方、登録件数が登録可能最大数に達していない場合、即ち、登録件数＜登録可能最大数である場合（ステップ３０３；Ｎ）、受け付けられたＦＡＸ番号を、主制御部１０７を介してアドレス帳記憶部１０８へ“ファクス受信拒否相手先”として登録（記録）する（ステップ３０５）。
そして、アドレス帳記憶部１０８へのＦＡＸ番号情報の登録が終了すると、オペレーション制御部１０４は、図３に示すような、登録が終了した旨を示す画面２０３を表示し、登録処理を終了する。
このように、本実施の形態に係るファクシミリ装置では、予め定められた登録可能最大数と同じ数だけＦＡＸ受信拒否宛先が登録されている状態で新たにＦＡＸ受信拒否番号の登録を行った際、それを拒否することができる。
【００１６】
なお、受信を拒否するファクシミリ番号（ＦＡＸ受信拒否番号）の登録方法は上述したものに限定されるものではない。
次に、受信を拒否するファクシミリ番号（ＦＡＸ受信拒否番号）の登録方法の変形例について説明する。
図４は、ファクシミリ受信拒否番号の登録処理手順の他の例を示したフローチャートである。
はじめに操作者は、オペレーションパネルを操作し（所定のコマンドの入力操作、または、特定のボタンの押下操作を行う）、ファクシミリ装置に対してアドレス帳登録画面の表示を要求する。
【００１７】
すると、オペレーション制御部１０４は、このアドレス帳登録画面の表示の要求を受け付け、オペレーションパネルの画面上に、図３に示すような画面２０１、即ちＦＡＸ受信拒否番号の登録画面を表示する（ステップ４０１）。
次に、主制御部１０７は、アドレス帳記憶部１０８におけるＦＡＸ受信拒否番号の登録件数の情報を読み出し、この登録件数と、予め設定されている登録可能最大数とを比較し、登録件数が登録可能最大数に達しているか否かを判断する（ステップ４０２）。
登録件数が登録可能最大数に達している場合、即ち、登録件数＝登録可能最大数である場合（ステップ４０２；Ｙ）、オペレーション制御部１０４は、ＦＡＸ受信拒否番号の登録が不可である旨を示す画面を表示し（ステップ４０３）、登録処理を終了する。
【００１８】
一方、登録件数が登録可能最大数に達していない場合、即ち、登録件数＜登録可能最大数である場合（ステップ４０２；Ｎ）、オペレーション制御部１０４は、ＦＡＸ受信拒否番号の登録画面の表示を継続する（ステップ４０４）。
その後操作者は、オペレーションパネルに設けられたテンキーを操作し、画面２０２においてＦＡＸ番号の入力を行う。ＦＡＸ番号の入力を終えた後、操作者は、画面２０２上のＯＫキーを押下する（ステップ４０５）。
すると、オペレーション制御部１０４は、ＦＡＸ番号の入力を受け付け、受け付けられたＦＡＸ番号を、主制御部１０７を介してアドレス帳記憶部１０８へ“ファクス受信拒否相手先”として登録（記録）する（ステップ４０６）。
そして、アドレス帳記憶部１０８へのＦＡＸ番号情報の登録が終了すると、オペレーション制御部１０４は、図３に示すような、登録が終了した旨を示す画面２０３を表示し、登録処理を終了する。
このように、予め定められた登録可能最大数と同じ数だけＦＡＸ受信拒否宛先が登録されている状態でＦＡＸ受信拒否番号の登録画面を表示した際、新規登録はできないことをオペレーションパネルに表示することにより、即ち、ＦＡＸ受信拒否番号が入力される前に、新規登録の可否をユーザに通知することにより、ユーザが無駄な入力をすることを防ぐことが可能となる。
【００１９】
また、本実施の形態に係るファクシミリ装置では、アドレス帳記憶部１０８に記憶可能なＦＡＸ受信拒否番号の件数、即ち、ＦＡＸ受信拒否番号の登録可能最大数を操作者が任意に設定できるように構成されている。
ここで、ＦＡＸ受信拒否番号の登録可能最大数の設定方法について説明する。
図５は、本実施の形態に係るファクシミリ装置におけるＦＡＸ受信拒否番号の登録可能最大数の設定処理の手順を示したフローチャートである。
また、図６、図７は、本実施の形態に係るファクシミリ装置においてＦＡＸ受信拒否番号の登録可能最大数の設定処理を行う際に表示されるの画面の一例を示した図である。
【００２０】
ＦＡＸ受信拒否番号の登録可能最大数の設定（変更）を行う場合、はじめに操作者は、オペレーションパネルを操作し（所定のコマンドの入力操作、または、特定のボタンの押下操作を行う）、ファクシミリ装置に対してＦＡＸ受信拒否番号の登録可能最大数の設定（変更）画面の表示を要求する。
すると、オペレーション制御部１０４は、このＦＡＸ受信拒否番号の登録可能最大数の設定（変更）画面の表示の要求を受け付け、オペレーションパネルの画面上に、図６に示すようなＦＡＸ受信拒否番号の登録可能最大数の設定（変更）画面を表示する。
続いて操作者は、オペレーションパネルに設けられたテンキーを操作し、希望の件数（設定値）の入力を行う。ＦＡＸ受信拒否番号の登録可能最大数の設定値入力を終えた後、操作者は、図示しないＯＫキーを押下する（ステップ５０１）。
【００２１】
すると、オペレーション制御部１０４は、ＦＡＸ受信拒否番号の登録可能最大数の設定値入力を受け付ける。
オペレーション制御部１０４においてＦＡＸ受信拒否番号の登録可能最大数の設定値の入力が受け付けられると、主制御部１０７は、アドレス帳記憶部１０８におけるＦＡＸ番号の登録可能最大数、即ち、物理的な要素によって制限された、ＦＡＸ番号の登録可能件数の上限の情報を読み出し、この登録可能最大数と、操作者によって入力されたＦＡＸ受信拒否番号の登録可能最大数の設定値とを比較し、入力されたＦＡＸ受信拒否番号の登録可能最大数の設定値が、アドレス帳記憶部１０８におけるＦＡＸ番号の登録可能最大数を超えているか否かを判断する（ステップ５０２）。
【００２２】
入力されたＦＡＸ受信拒否番号の登録可能最大数の設定値が、アドレス帳記憶部１０８におけるＦＡＸ番号の登録可能最大数を超えている場合（ステップ５０２；Ｙ）、ＦＡＸ受信拒否番号の登録可能最大数の設定（変更）は行わず、オペレーション制御部１０４は、図７に示すような、指定されたＦＡＸ受信拒否番号の登録可能最大数の設定値が適正でない旨を示す画面５５１を表示し（ステップ５０３）、設定処理を終了する。
一方、入力されたＦＡＸ受信拒否番号の登録可能最大数の設定値が、アドレス帳記憶部１０８におけるＦＡＸ番号の登録可能最大数を超えていない場合（ステップ５０２；Ｎ）、主制御部１０７は、入力されたＦＡＸ受信拒否番号の登録可能最大数の設定値に基づいて、アドレス帳記憶部１０８における“ファクス受信拒否相手先”の登録領域の設定を実行する（ステップ５０４）。
そして、ＦＡＸ受信拒否番号の登録可能最大数の設定が終了すると、オペレーション制御部１０４は、設定が終了した旨を示す画面を表示し、設定処理を終了する。
【００２３】
このように、本実施の形態によれば、テンキーなどを用いてＦＡＸ受信拒否番号の登録可能最大数を設定（変更）することが容易にできる。
このようなＦＡＸ受信拒否番号の登録可能最大数の設定（変更）機能をファクシミリ装置に設けることにより、ユーザ（利用者）の使用環境に応じて必要な数だけＦＡＸ受信拒否番号を登録することが可能となる。
また、ＦＡＸ受信拒否番号の登録可能最大数の設定時に、アドレス帳の登録可能最大数との比較を行うことにより、ユーザ（操作者）が実際には登録不可能な数をＦＡＸ受信拒否番号の登録可能最大数として設定されることを防ぐことができる。
【００２４】
なお、ＦＡＸ受信拒否番号の登録可能最大数の設定方法は上述したものに限定されるものではない。
次に、ＦＡＸ受信拒否番号の登録可能最大数の設定方法の変形例について説明する。
図８は、ＦＡＸ受信拒否番号の登録可能最大数の設定処理手順の他の例を示したフローチャートである。
また、図９は、ＦＡＸ受信拒否番号の登録可能最大数の設定処理を行う際に表示されるの画面の一例を示した図である。
【００２５】
ＦＡＸ受信拒否番号の登録可能最大数の設定（変更）を行う場合、はじめに操作者は、オペレーションパネルを操作し（所定のコマンドの入力操作、または、特定のボタンの押下操作を行う）、ファクシミリ装置に対してＦＡＸ受信拒否番号の登録可能最大数の設定（変更）画面の表示を要求する。
すると、オペレーション制御部１０４は、このＦＡＸ受信拒否番号の登録可能最大数の設定（変更）画面の表示の要求を受け付け、オペレーションパネルの画面上に、図６に示すようなＦＡＸ受信拒否番号の登録可能最大数の設定（変更）画面を表示する。
続いて操作者は、オペレーションパネルに設けられたテンキーを操作し、希望の件数（設定値）の入力を行う。ＦＡＸ受信拒否番号の登録可能最大数の設定値入力を終えた後、操作者は、図示しないＯＫキーを押下する（ステップ６０１）。
【００２６】
すると、オペレーション制御部１０４は、ＦＡＸ受信拒否番号の登録可能最大数の設定値入力を受け付ける。
オペレーション制御部１０４においてＦＡＸ受信拒否番号の登録可能最大数の設定値の入力が受け付けられると、主制御部１０７は、アドレス帳記憶部１０８におけるＦＡＸ番号の登録可能最大数、即ち、物理的な要素によって制限された、ＦＡＸ番号の登録可能件数の上限の情報を読み出し、この登録可能最大数と、操作者によって入力されたＦＡＸ受信拒否番号の登録可能最大数の設定値とを比較し、入力されたＦＡＸ受信拒否番号の登録可能最大数の設定値が、アドレス帳記憶部１０８におけるＦＡＸ番号の登録可能最大数を超えているか否かを判断する（ステップ６０２）。
【００２７】
入力されたＦＡＸ受信拒否番号の登録可能最大数の設定値が、アドレス帳記憶部１０８におけるＦＡＸ番号の登録可能最大数を超えている場合（ステップ６０２；Ｙ）、ＦＡＸ受信拒否番号の登録可能最大数の設定（変更）は行わず、オペレーション制御部１０４は、図９に示すような、設定ができない旨を示す画面６０１を表示し（ステップ６０３）、設定処理を終了する。
一方、入力されたＦＡＸ受信拒否番号の登録可能最大数の設定値が、アドレス帳記憶部１０８におけるＦＡＸ番号の登録可能最大数を超えていない場合（ステップ６０２；Ｎ）、続いて、主制御部１０７は、入力されたＦＡＸ受信拒否番号の登録可能最大数の設定値と、登録済みのＦＡＸ受信拒否番号の件数とを比較し、入力されたＦＡＸ受信拒否番号の登録可能最大数の設定値が、登録済みのＦＡＸ受信拒否番号の件数より小さい（少ない）か否かを判断する（ステップ６０４）。
【００２８】
入力されたＦＡＸ受信拒否番号の登録可能最大数の設定値が、登録済みのＦＡＸ受信拒否番号の件数より小さい場合（ステップ６０４；Ｙ）、ＦＡＸ受信拒否番号の登録可能最大数の設定（変更）は行わず、オペレーション制御部１０４は、図９に示すような、設定ができない旨を示す画面６０２を表示し（ステップ６０３）、設定処理を終了する。
一方、入力されたＦＡＸ受信拒否番号の登録可能最大数の設定値が、登録済みのＦＡＸ受信拒否番号の件数より大きい場合（ステップ６０４；Ｎ）、主制御部１０７は、入力されたＦＡＸ受信拒否番号の登録可能最大数の設定値に基づいて、アドレス帳記憶部１０８における“ファクス受信拒否相手先”の登録領域の設定を実行する（ステップ６０５）。
そして、ＦＡＸ受信拒否番号の登録可能最大数の設定が終了すると、オペレーション制御部１０４は、設定が終了した旨を示す画面を表示し、設定処理を終了する。
【００２９】
このように、ＦＡＸ受信拒否番号の登録可能最大数設定時に現在登録されているＦＡＸ受信拒否番号の数との比較を行うことにより、登録可能最大数を越えてＦＡＸ受信拒否番号が登録されているという不正な状態の発生を防ぐことができる。
また、判定結果の条件に応じたエラー画面を表示させることにより、詳しくは、図９に示すように、エラー画面に登録可能最大数の変更が拒否された旨とその理由をあわせて表示させることにより、ユーザ（操作者）は、設定できない理由を容易に理解することができる。
上述したように本実施の形態に係るファクシミリ装置では、ＦＡＸ受信拒否番号の登録可能最大数を変更する際、変更後の値がアドレス帳への登録可能最大数を越えている場合には、登録可能最大数の変更を拒否することができる。
また、ＦＡＸ受信拒否番号の登録可能最大数を変更する際、既に変更後の値を越えてＦＡＸ受信拒否番号が登録されている場合には、登録可能最大数の変更を拒否することができる。
【００３０】
上述した本実施の形態に係るファクシミリ装置では、通信制御部１０６を介してＦＡＸデータを受信した際、主制御部１０７は、該ＦＡＸデータの送信元のＦＡＸ番号と、アドレス帳記憶部１０８に登録されているＦＡＸ受信拒否番号との比較を行う。
そして、送信元のＦＡＸ番号が、ＦＡＸ受信拒否番号としてアドレス帳記憶部１０８に登録されている場合、即ち、送信元のＦＡＸ番号と登録済みのＦＡＸ受信拒否番号が一致した場合、主制御部１０７は、通信制御部１０６へＦＡＸデータ通信の切断を指示するコマンドを送信し、直ちにＦＡＸデータの受信を終了させる。
【００３１】
このように、本実施の形態によれば、予めＦＡＸ受信拒否番号をアドレス帳記憶部１０８に登録することにより、迷惑ＦＡＸの受信を適切に回避（抑制）することができる。
また、本実施の形態では、既存の不揮発性メモリ装置からなるアドレス帳記憶部１０８を利用することにより、新たに（別途）不揮発性メモリを設けることなく、ＦＡＸ受信拒否番号を登録することが可能となる。
【図面の簡単な説明】
【００３２】
【図１】本実施の形態に係るファクシミリ装置の基本構成を示すブロック図である。
【図２】本実施の形態に係るファクシミリ装置におけるファクシミリ受信拒否番号の登録処理の手順を示したフローチャートである。
【図３】本実施の形態に係るファクシミリ装置においてＦＡＸ受信拒否番号の登録処理を行う際の画面フローの一例を示した図である。
【図４】ファクシミリ受信拒否番号の登録処理手順の他の例を示したフローチャートである。
【図５】本実施の形態に係るファクシミリ装置におけるＦＡＸ受信拒否番号の登録可能最大数の設定処理の手順を示したフローチャートである。
【図６】本実施の形態に係るファクシミリ装置においてＦＡＸ受信拒否番号の登録可能最大数の設定処理を行う際に表示されるの画面の一例を示した図である。
【図７】本実施の形態に係るファクシミリ装置においてＦＡＸ受信拒否番号の登録可能最大数の設定処理を行う際に表示されるの画面の一例を示した図である。
【図８】ＦＡＸ受信拒否番号の登録可能最大数の設定処理手順の他の例を示したフローチャートである。
【図９】ＦＡＸ受信拒否番号の登録可能最大数の設定処理を行う際に表示されるの画面の一例を示した図である。
【符号の説明】
【００３３】
１０１  ＳＡＦ管理部
１０２  宛先管理部
１０３  ジョブ管理部
１０４  オペレーション制御部
１０５  記録／読み取り制御部
１０６  通信制御部
１０７  主制御部
１０８  アドレス帳記憶部
２０１〜２０３  画面
５５１  画面
６０１、６０２  画面
【図１】
2008067302.tif 000003
【図２】
2008067302.tif 000004
【図３】
2008067302.tif 000005
【図４】
2008067302.tif 000006
【図５】
2008067302.tif 000007
【図６】
2008067302.tif 000008
【図７】
2008067302.tif 000009
【図８】
2008067302.tif 000010
【図９】
2008067302.tif 000011